(57)【要約】      （修正有）【課題】比較的安価で完全性を高めた微細粒でカプセルを満たすための供給器組立体を提供する。【解決手段】微細粒でカプセルを満たすための供給器組立体１は、複数の充填部８が設けられる充填ドラム５を有し、各充填部は、気体吸入装置へ接続されることができて、細粒を持ち上げて放出するための下側端部を有する各吸引管９により構成され、各吸引管の下側端部は、複数の開口が設けられた閉鎖要素によって閉鎖され、各開口は、細粒が吸引管内へ入ることを防止するように形成される。【選択図】図１
2018008745.tif 000002
【特許請求の範囲】
【請求項１】
細粒（２）、特に、微細粒（２）でカプセル（３）を満たすための供給器組立体であって、
各前記カプセル（３）は、それぞれの底部（４）と、前記底部（４）を閉じるための蓋とを具備し、
前記供給器組立体は、
回転軸線（６）回りに連続して回転するように取り付けられて、前記回転軸線（６）回りに分布された複数の充填部（８）が設けられる充填ドラム（５）と、
前記細粒（２）を含有する貯蔵部（２０；２６）と、具備し、
各前記充填部（８）が、気体吸入装置へ接続されることができて、前記回転軸線（６）に対して平行な真っ直ぐな動作を前記充填ドラム（５）に関して実施するように前記充填ドラム（５）へ連結されて、前記細粒（２）を持ち上げて放出するための下側端部（１２）を有する吸引管（９）を具備する供給器組立体において、
各前記吸引管（９）の前記下側端部（１２）は、複数の開口（１４）が設けられた閉鎖要素（１３）によって閉鎖され、各前記開口は、前記細粒（２）が前記吸引管（９）内へ入ることを防止するように形成されることを特徴とする供給器組立体。
【請求項２】
前記充填部（８）は、前記回転軸線（６）回りにリング形状に閉じられて、部分的だけに前記貯蔵部（２０；２６）の上側に延在する供給通路Ｐに沿って移動可能である請求項１に記載の供給器組立体。
【請求項３】
各前記吸引管（９）の前記下側端部（１２）は、関係する閉鎖要素（１３）が固定される端面（１１）によって軸線方向に境界が定められる請求項１又は２に記載の供給器組立体。
【請求項４】
前記閉鎖要素（１３）は、前記吸引管（９）の前記下側端部（１２）の端面（１１）へ固定されて、前記開口（１４）が設けられる薄板を具備する請求項１〜３のいずれか一項に記載の供給器組立体。
【請求項５】
前記貯蔵部（２０；２６）は、前記回転軸線（６）に対して平行で異なる長手軸線（２１；２７）を有する請求項１〜４のいずれか一項に記載の供給器組立体。
【請求項６】
前記貯蔵部（２０）は、供給軌道（２３）が設けられた振動分散板を具備し、前記供給軌道は、前記細粒（２）を前記充填部（８）へ移動するための移動部署（２４）へ連続的に前記細粒（２）を供給するように、前記長手軸線（２１）回りに前記長手軸線に沿って螺旋形状に曲げられる請求項５に記載の供給器組立体。
【請求項７】
前記移動部署（２４）の領域において、前記供給軌道（２３）は、前記供給軌道（２３）自身の両側に設けられた二つの側面側空洞（２２，２５）の間に延在する請求項６に記載の供給器組立体。
【請求項８】
前記開口（１４）は、円形状を有する領域内に分布される請求項１〜７のいずれか一項に記載の供給器組立体。
【請求項９】
前記開口（１４）は、細長形状を有する領域内に分布される請求項１〜７のいずれか一項に記載の供給器組立体。
【請求項１０】
さらに、各前記充填部（８）のために、前記底部（４）を受け入れて保持するように前記充填部（８）の下側に取り付けられたそれぞれの凹所を具備し、前記凹所には、前記底部（４）の重量と、前記底部（４）及び前記底部（４）内に含有される前記細粒（２）の重量との両方を測定するための測定装置が設けられる請求項１〜９のいずれか一項に記載の供給器組立体。
【請求項１１】
さらに、関係する前記充填部（８）と一致して前記回転軸線（６）回りに各前記底部（４）を送るための運搬装置（１７）と、前記充填ドラム（５）と前記運搬装置（１７）との間に取り付けられて、前記凹所及び関係する前記測定装置が設けられる中間円盤と、を具備する請求項１０に記載の供給器組立体。
【発明の詳細な説明】
【技術分野】
【０００１】
本発明は、細粒、特に、微細粒でカプセルを満たすための供給器組立体に関する。
【背景技術】
【０００２】
細粒の薬製品でのカプセルの充填を扱うときには、充填ドラムを具備する種類の供給器組立体が知られており、充填ドラムは、特定の回転軸線回りに回転するように取り付けられ、回転軸線回りに分布された複数の充填部と、複数の凹所が設けられる凹所運搬部とが設けられ、凹所のそれぞれは、各カプセルの底部を受け入れて保持するように形成される。
【０００３】
細粒は、充填ドラムの前述の回転軸線に対して平行で異なる長手軸線を有する環状収容貯蔵部内に収容される。
【０００４】
各充填部は、気体吸入装置へ接続されることができて、回転軸線に対して平行な真っ直ぐな動作を充填ドラムに関して実施するように充填ドラムに連結される吸引管を具備する。
【０００５】
各吸引管には、下側充填室を構成するように吸引管の中間位置に固定される薄板が設けられ、下側充填室の容積は、吸引管に沿う薄板の位置に依存する。
【０００６】
薄板は、充填室が気体吸入装置へ接続されることを可能として、細粒が吸引管に沿って前方向へ移動することを防止するように形成される複数の開口を有する。
【０００７】
吸引管は、前述の回転軸線回りに延在して、貯蔵部に重なる第一部分及び貯蔵部の外側の第二部分を具備する環状通路に沿って充填ドラムにより送られる。
【０００８】
第一部分の領域において、各吸引管は、最初に、充填室内へ対応細粒量を吸引するように貯蔵部内へ下げられ、次いで、貯蔵部を離れるように持ち上げられる。
【０００９】
第二部分の領域において、各吸引管は、底部内へ充填室内に含有された細粒を放出するように関係する底部上に下げられる。
【００１０】
貯蔵部の外側において、各供給管が、関係する充填室の容量より多い細粒量を保持するために、充填室の外側へ突出する細粒は、すり落とし器によってすり落とされて、貯蔵部内へ再び再循環させられなければならない。
【００１１】
貯蔵部のすり落とし器及び細粒再循環機構の存在は、前述の種類の公知の供給器組立体を比較的複雑化させて高価にする。
【００１２】
さらに、すり落とし工程は、各吸引管の過剰の細粒の完全性を危うくする可能性があり、いずれにしても、貯蔵部の外側における比較的多量の細粒の再循環及び処理をもたらす。
【発明の概要】
【発明が解決しようとする課題】
【００１３】
本発明の目的は、複雑でなく比較的安価なように前述の欠点を排除するように形成される細粒、特に、微細粒でカプセルを満たすための供給器組立体を提供することである。
【課題を解決するための手段】
【００１４】
本発明により、特許請求の範囲に記載の細粒、特に、微細粒でカプセルを満たすための供給器組立体が提供される。
【００１５】
本発明は、非限定の実施形態を示す添付図面を参照して説明される。
【図面の簡単な説明】
【００１６】
【図１】本発明による供給器組立体の好適な実施形態のより明確化のために除去された部分を有する概略斜視図である。
【図２】図１の供給器組立体の細部の概略斜視図である。
【図３ａ】図３ｂとは異なる作動位置に示された図１の供給器組立体のより明確化のために断面の部分と除去された部分とを有する概略側面図である。
【図３ｂ】図３ａとは異なる作動位置に示された図１の供給器組立体のより明確化のために断面の部分と除去された部分とを有する概略側面図である。
【図４】図１の供給器組立体の変形のより明確化のために断面の部分と除去された部分とを有する概略側面図である。
【発明を実施するための形態】
【００１７】
図１及び３を参照すると、参照番号１は、全体として、細粒２、特に、薬製品の微細粒でカプセル３を満たすための供給器組立体を示し、各カプセル３は、実質的にカップ形状である底部４と、底部のための閉じ蓋（図示せず）とを具備する。
【００１８】
供給器組立体は、カプセル３を満たすための機械の一部を構成し、垂直方向７に対して実質的に平行である回転軸線６回りに連続して回転するように取り付けられる充填ドラム５を具備する。
【００１９】
ドラム５は、軸線６回りに均一に分布されてドラム５の外側壁に取り付けられる複数の充填部８を支持する。
【００２０】
図１及び２により、各充填部８は、方向７に対して平行な長手軸線１０を有して、方向７に対して実質的に垂直な下側環状面１１によって軸線方向に境界が定められる吸引管９を具備する。
【００２１】
管９は、特に、方向７に対して垂直な面１１へ固定される平らな薄板１３によって、閉鎖される下側端部１２を有する。
【００２２】
薄板１３は、細粒２が管９内へ入ることを防止するように形成されて、円形状を有する領域内に分布される複数の開口１４を有する。
【００２３】
ここに示されない変形により、開口１４は、細長形状を有する領域内に分布される。
【００２４】
管９は、気体吸入装置（図示せず）へ接続されることができ、関係する管９上で回転するように取り付けられて軸線６に対して実質的に同軸の環状カム（図示せず）に係合させられる各カム従動子１６を各充填部８のために具備するカム作動装置１５の押圧力の下でドラム５に関して方向７の真っ直ぐな移動を実施するように、滑り式にドラム５へ連結される。
【００２５】
底部４は、それぞれ、カプセル３を満たすための前述の機械を通り延在する凹所運搬部１７によって、各充填部に一致して軸線６回りを送られる。
【００２６】
運搬部１７は、複数のスプロケット歯１８（ドラム５上に存在するスプロケット歯１８だけが図１に示される）回りにリング形状に曲げられ、上方向を向く凹状を有する実質的にカップ形状であって、運搬部１７に沿って均一に分布されて、それぞれが上方向を向く凹状を有する関係する凹所１９内に配置された各底部４を収容するように形成される複数の凹所１９が設けられる。
【００２７】
供給器組立体１は、さらに、細粒２を含有する貯蔵部２０を具備する。
【００２８】
貯蔵部２０は、上方向を向く凹状を有するカップ形状であり、前述の軸線６に対して平行で異なる自身の長手軸線２１回りに延在する。
【００２９】
貯蔵部２０は、軸線２１に対して実質的に垂直な底壁２２によって境界が定められ、細粒２を充填部８へ移動させるための移動部署２４へ連続的に細粒２を供給するように、壁２２から始まって前述の軸線２１回りにそれに沿って螺旋形状に曲げられる供給軌道２３が設けられる。
【００３０】
貯蔵部２０は、細粒２の単一層で軌道２３に沿って細粒２を供給するように、貯蔵部２０が特定の原理により振動することを引き起こすように形成される振動基部（図示せず）へ固定される。
【００３１】
部署２４の領域において、軌道２３は、細粒２の供給方向において狭くなる半径方向幅を有し、半径方向において、一方で壁２２に、他方で、貯蔵部２０の上側縁上に存在して軸線２１回りに延在する空洞２５に面する。
【００３２】
貯蔵部２０の振動、軌道２３の半径方向幅の減少、及び、空洞２５の存在は、部署２４の領域において、各充填部８が、正確な量の細粒２を直接的に持ち上げることを可能とし、こうして、管９のすり落とし及び貯蔵部２０内への過剰な細粒２の再循環を回避する。
【００３３】
使用において、充填部８は、軸線６回りに、自身の軸線６回りのリング形状の閉じられた通路Ｐに沿って、それぞれが運搬部１７の各凹所１９に一致して、ドラム５により送られる。
【００３４】
貯蔵部２０の上側に延在する通路Ｐの第一部分の領域において、各充填部８は、軌道２３上にカム作動装置１５によって下げられ、軌道２３から細粒２を持ち上げるように、前述の気体吸入装置（図示せず）へ接続される。
【００３５】
管９内で発生する吸引力は、薄板１３が、軌道２３から持ち上げられた細粒２を保持することを可能とし、こうして、細粒が管９内へ入ることを防止する。
【００３６】
貯蔵部２０の外側に延在する通路Ｐの第二部分の領域において、各充填部８は、関係する底部４上に装置１５によって下げられ、細粒２を底部４内へ放出するように、前述の気体吸入装置（図示せず）から外される。
【００３７】
図４に示された変形と前述の図面との間の違いは、貯蔵部２０が、除去されて、軸線６に対して平行で異なる長手軸線２７を有し、軸線２７に対して実質的に垂直な底壁２８によって境界が定められ、さらに、軸線２７に対して実質的に同軸な側壁２９によって境界が定められる貯蔵部２６によって置換されることだけにある。
【００３８】
この場合において、各充填部８は、最初に、各薄板１３によって、単一層の細粒２を持ち上げて保持するように、貯蔵部２６内へ下げられ、次いで、充填部は貯蔵部２６から離れるように持ち上げられ、最後に、細粒２を底部４内へ放出するように関係する底部４上に再び下げられる。
【００３９】
貯蔵部２６は、軸線２７回りに回転するように取り付けられることができ、又は、貯蔵部２６が特定の原理により振動することを引き起こすように形成される振動基部（図示せず）へ固定されることができる。
【００４０】
ここで示されていない変形により、供給器組立体１は、軸線６回りに回転するように、ドラム５と運搬部１７との間に取り付けられる中間円盤を具備する。
【００４１】
中間円盤には、充填部８と同じ分布距離において軸線６回りに均一に分布されて、それぞれが方向７において各管９及び各凹所１９に整列され、方向７において軸線方向に開口する複数の凹所が設けられる。
【００４２】
各凹所は、公知の方法で運搬部１７と中間円盤との間を移動させられる関係する底部４を受け取って保持するように形成される筒状ブッシュによって横方向に境界が定められる。
【００４３】
ブッシュは、自身に一体化された容量型変換器を担持し、容量型変換器は、他のブッシュの容量型変換器と共に、容量型変換器へ接続された処理装置をさらに具備する重量測定機構の一部を構成する。
【００４４】
ブッシュ及び容積型変換器は、その内容が全体的に本特許出願に含まれる本出願人により出願された国際公開第２００６／０３５２８５Ａ２号に記載及び図示される。
【００４５】
重量測定機構は、部署２４の上流側における各底部４の重量と、部署２４の下流側における各底部４及び関係する細粒２の全重量とを測定することを可能とする。
【図１】
2018008745.tif 000003
【図２】
2018008745.tif 000004
【図３ａ】
2018008745.tif 000005
【図３ｂ】
2018008745.tif 000006
【図４】
2018008745.tif 000007
【外国語明細書】
2018008745000001.pdf